(57)【要約】【課題】  デインターレーシング装置および方法を提供する。【解決手段】  本発明に係るデインターレーシング装置は、入力映像の以前フィールドおよび次フィールドの間の動きを抽出する動き検出部と、入力映像がフィルムモードであるかを判断するフィルムモード判断部と、現在フィールドで書入れられる画素周辺の画素値に含まれている方向値により周辺画素値を用いて第１の補間値を算出するイントラフィールド補間部と、現在フィールドで書入れられる画素に対応する以前フィールドおよび次フィールドの画素値を用いて第２の補間値を算出するインターフィールド補間部と、現在フィールドで抽出される複数ラインとインターフィールド補間部で書入れられたフィールドから抽出されるラインでジャダーを検出し、その検出可否によりインターフィールド補間部の出力値とイントラフィールド補間部の出力値とを選択的に出力する混合部とを含む。【選択図】  図１
2006005914.tif 000002
【特許請求の範囲】
【請求項１】
入力映像の現在フィールドの画素を基準に以前フィールドおよび次フィールドの間の動き程度を抽出する動き検出部と；
前記入力映像のソースがフィルムモードであるかを判断するフィルムモード判断部と；
前記現在フィールドで書入れられる画素周辺の画素値に含まれている方向値により前記周辺画素値を用いて第１の補間値を算出するイントラフィールド補間部と；
前記現在フィールドで書入れられる画素に対応する前記以前フィールドおよび前記次フィールドの画素値を用いて第２の補間値を算出するインターフィールド補間部と；
前記現在フィールドで抽出される所定の複数ラインと前記インターフィールド補間部で書入れられたフィールドから抽出される少なくとも一つの所定ラインが入力されてジャダーを検出し、前記ジャダーの検出可否により前記インターフィールド補間部の出力値と前記イントラフィールド補間部の出力値とを選択的に出力する混合部と；
を含むことを特徴とするジャダー検出を用いたデインターレーシング装置。
【請求項２】
前記混合部は、
前記入力されるラインでジャダーを検出する少なくとも一つのジャダー検出部と；
動きがないか、或いはフィルムモードであると判断されれば、前記インターフィールド補間部の出力値を出力し、前記ジャダー検出部でジャダーが検出されれば、前記イントラフィールド補間部の出力値を出力するスイッチング部と；
を含むことを特徴とする請求項１に記載のジャダー検出を用いたデインターレーシング装置。
【請求項３】
前記ジャダー検出部は、
前記入力されるライン中隣接した三つのラインでメジアン画素値を抽出するメジアンフィルター部と；
前記抽出されたメジアン画素値と、前記三つのラインのうち中間ライン画素値の差の絶対値を算出する絶対値算出部；および
前記算出された絶対値と所定の臨界値とを比較してジャダーを判別するジャダー判別部と；
を含むことを特徴とする請求項２に記載のジャダー検出を用いたデインターレーシング装置。
【請求項４】
前記ジャダーが検出される領域を水平および垂直方向に拡張し、前記拡張されたジャダー検出領域で前記ジャダー判別部の出力値が前記臨界値以上である場合にジャダーを出力する拡張部をさらに含むことを特徴とする請求項３に記載のジャダー検出を用いたデインターレーシング装置。
【請求項５】
前記入力されるラインの画素値と前記臨界値により最終臨界値を算出して前記ジャダー判別部に提供する臨界値算出部をさらに含むことを特徴とする請求項３に記載のジャダー検出を用いたデインターレーシング装置。
【請求項６】
前記臨界値算出部は、
前記入力されるラインのうち奇数番目ラインの画素値の平均を算出する第１の平均画素抽出部と；
前記入力されるラインのうち偶数番目ラインの画素値の平均を算出する第２の平均画素抽出部と；
前記算出された平均画素の差の絶対値を算出する絶対値抽出部；および
前記算出された絶対値を最大臨界値および最小臨界値により制限する制限器と；
を含むことを特徴とする請求項５に記載のジャダー検出を用いたデインターレーシング装置。
【請求項７】
前記制限器は、前記絶対値を所定の比率に縮小し、前記縮小された絶対値を前記最小臨界値と比較してより大きい値を抽出し、前記抽出された値を前記最大臨界値と比較してより小さい値を抽出して前記ジャダー判別部に提供することを特徴とする請求項６に記載のジャダー検出を用いたデインターレーシング装置。
【請求項８】
入力映像の現在フィールドにおける動き程度を抽出し、前記入力映像のソースがフィルムモードであるかを判断する決定部と；
前記現在フィールドで書入れられる画素周辺の画素値に含まれている方向値に基づいて前記周辺画素値を用いて第１の補間値を算出するイントラフィールド補間部と；
前記現在フィールドで書入れられる画素に対応する前記以前フィールドおよび前記次フィールドの画素値を用いて第２の補間値を算出するインターフィールド補間部と；
前記現在フィールドで抽出される所定の複数ラインと前記インターフィールド補間部で書入れられたフィールドから抽出される少なくとも一つの所定ラインが入力されてジャダーを検出し、前記ジャダーの検出可否により前記インターフィールド補間部の出力値と前記イントラフィールド補間部の出力値とを選択的に出力する混合部と；
を含むことを特徴とするジャダー検出を用いたデインターレーシング装置。
【請求項９】
前記決定部は、
前記入力映像の現在フィールドの画素に基づいて以前フィールドおよび次フィールドの間の動き程度を抽出する動き検出部；および
前記入力映像のソースがフィルムモードであるかを判断するフィルムモード判断部と；
を含むことを特徴とする請求項８に記載のジャダー検出を用いたデインターレーシング装置。
【請求項１０】
入力映像の現在フィールドで書入れられる画素周辺の画素値に含まれている方向値に基づいて前記周辺画素値を用いて第１の補間値を算出するステップと；
前記現在フィールドで書入れられる画素に対応する前記以前フィールドおよび前記次フィールドの画素値を用いて第２の補間値を算出するステップと；
前記現在フィールドの画素を基準に以前フィールドおよび次フィールド間の動き程度を抽出するステップと；
前記入力映像のソースがフィルムモードであるかを判断するステップと；
前記現在フィールドで抽出される所定の複数ラインと前記第２の補間値により書入れられたフィールドから抽出される所定の少なくとも一つのラインが入力されてジャダーを検出するステップ；および
動きがないか、或いはフィルムモードであることが判断されれば、前記第２の補間値により書入れられた出力値を出力し、ジャダーが検出される場合には前記第１の補間値により書入れられた出力値を出力するステップと；
を含むことを特徴とするジャダー検出を用いたデインターレーシング方法。
【請求項１１】
前記ジャダー検出ステップは、
前記入力されるラインのうち隣接した三つのラインでメジアン画素値を抽出するステップと；
前記抽出されたメジアン画素値と、前記三つのラインのうち中間ライン画素値の差の絶対値を算出するステップ；および
前記算出された絶対値と所定の臨界値とを比較してジャダーを判別するステップと；
を含むことを特徴とする請求項１０に記載のジャダー検出を用いたデインターレーシング方法。
【請求項１２】
前記ジャダーが検出される領域を水平および垂直方向に拡張し、前記拡張された検出領域で前記検出されたジャダーが前記臨界値以上である場合にジャダーを出力するステップをさらに含むことを特徴とする請求項１０に記載のジャダー検出を用いたデインターレーシング方法。
【請求項１３】
前記臨界値は、前記入力されるラインの画素値と最大臨界値および最小臨界値により算出された値を適用することを特徴とする請求項１１に記載のジャダー検出を用いたデインターレーシング方法。
【請求項１４】
前記臨界値算出は、
前記入力されるラインのうち偶数番目ラインの画素値の平均を算出するステップと；
前記入力されるラインのうち奇数番目ラインの画素値の平均を算出するステップと；
前記算出された平均画素の差の絶対値を算出するステップ；および
前記算出された絶対値を最大臨界値および最小臨界値により制限するステップと；
を含むことを特徴とする請求項１３に記載のジャダー検出を用いたデインターレーシング方法。
【請求項１５】
前記絶対値の制限ステップは、
前記絶対値を所定の比率に縮小するステップと；
前記縮小された絶対値を前記最小臨界値と比較してより大きい値を抽出するステップ；および
前記抽出された値を前記最大臨界値と比較してより小さい値を抽出するステップと；
を含むことを特徴とする請求項１４に記載のジャダー検出を用いたデインターレーシング方法。
【請求項１６】
以前フィールド、現在フィールド、次フィールドを有する入力映像を受信するステップと；
入力映像の動き特性を決定するステップと；
入力映像の現在フィールドで書入れられる画素周辺の画素値に含まれている方向値に基づいて前記周辺画素値を用いて第１の補間値を算出するステップと；
前記現在フィールドで書入れられる画素に対応する前記以前フィールドおよび前記次フィールドの画素値を用いて第２の補間値を算出するステップと；
前記決定された動き特性により前記第１の補間値および前記第２の補間値を選択的に出力するステップと；
を含むことを特徴とするジャダー検出を用いたデインターレーシング方法。
【請求項１７】
前記動き特性は、前記入力映像の以前フィールドと次フィールドの間の動きであるか、或いは前記入力映像のソースがフィルムモードであること
を特徴とする請求項１６に記載のジャダー検出を用いたデインターレーシング方法。
【発明の詳細な説明】
【技術分野】
【０００１】
本発明は、ジャダー（ｊｕｄｄｅｒ）検出を用いたデインターレーシング（ｄｅｉｎｔｅｒｌａｃｉｎｇ）装置および方法に係り、より詳しくはデインターレーシング過程から発生するジャダーを検出および除去することができるジャダー検出を用いたデインターレーシング装置および方法に関する。
【背景技術】
【０００２】
映像ディスプレイ装置で画面を具現するための走査方式には飛び越し走査（Ｉｎｔｅｒｌａｃｅｄ  ｓｃａｎ）方式と順次走査（Ｐｒｏｇｒｅｓｓｉｖｅ  ｓｃａｎ又はＮｏｎ−ｉｎｔｅｒｌａｃｅｄ  ｓｃａｎ）方式がある。
【０００３】
飛び越し走査方式は、一つの映像を表示することにおいて、一つのイメージフレームを二つのフィールドに分けて順次的に交代に画面に表示する方式であり、この際二つのフィールドをトップ（ｔｏｐ）フィールドとボトム（ｂｏｔｔｏｍ）フィールド又はオッド（ｏｄｄ）フィールドとイーブン（ｅｖｅｎ）フィールド又はアッパー（ｕｐｐｅｒ）フィールドとローワー（ｌｏｗｅｒ）フィールドという。
【０００４】
順次走査方式は、一つ一つの画面をフィルムに撮って貯蔵し、画面単位で一時にスクリーンに照らす映画のような方式で、一つのイメージフレームをフレーム単位として全体フレームを一回に表示する方式である。
【０００５】
大型ディスプレイ装置における飛び越し走査方式で映像をディスプレイする場合には、映像の動き領域で酷いちらつき（ｆｌｉｃｋｅｒｉｎｇ）が発生するため、最近では次第に大型化されるコンピュータモニターおよび高鮮明ＴＶに順次走査方式を適用してディスプレイする割合が増加されている傾向にある。
【０００６】
ここに、飛び越し走査方式の映像を順次走査方式の映像にディスプレイするためには、既存の飛び越し走査方式の映像で存在しない映像ラインを生成し順次走査方式の映像に変換してディスプレイするデインターレーシング（Ｄｅｉｎｔｅｒｌａｃｉｎｇ）技法が使用されている。
【０００７】
デインターレーシング技法は、動き情報や映像のフォーマット変換情報（Ｆｉｌｍ  ｍｏｄｅ）を使用して、イントラフィールド補間画素とインターフィールド補間画素とをスイッチングして使用する方法が主を成す。
【０００８】
こうした場合、フィルムモードや停止領域で動きベクトルを使用したインターフィールド補間技法を使用することによって、誤ったフィルム情報を使用してインターフィールド補間技法を使用したり、或いは動き領域でインターフィールド補間技法を使用することによって、動き領域付近でジャダーが酷く発生する。
【０００９】
特に、動き領域の場合動きベクトルにより補償されたインターフィールド補間画素を使用することによって、動き領域付近でジャダーの発生頻度が高まれる問題点がある。
【発明の開示】
【発明が解決しようとする課題】
【００１０】
本発明は、前記のような問題点を解決するためになされたものであって、デインターレーシング装置でフィルム情報を用いたイントラフィールド補間技法を使用するか、或いは動き領域でインターフィールド補間技法を使用することによって、動き領域付近から発生するジャダーを効率的に検出および除去することのできるジャダー検出を用いたデインターレーシング装置および方法を提供することにある。
【課題を解決するための手段】
【００１１】
前述した目的を達成するための本発明の一実施形態によるジャダー検出を用いたデインターレーシング装置は、入力映像の現在フィールドの画素を基準に以前フィールドおよび次フィールドの間の動き程度を抽出する動き検出部と、入力映像のソースがフィルムモードであるかを判断するフィルムモード判断部と、現在フィールドで書入れられる画素周辺の画素値に含まれている方向値により周辺画素値を用いて第１の補間値を算出するイントラフィールド補間部と、現在フィールドで書入れられる画素に対応する以前フィールドおよび次フィールドの画素値を用いて第２の補間値を算出するインターフィールド補間部と、現在フィールドで抽出される所定の複数ラインとインターフィールド補間部で書入れられたフィールドから抽出される少なくとも一つの所定ラインが入力されてジャダーを検出し、ジャダーの検出可否によりインターフィールド補間部の出力値とイントラフィールド補間部の出力値とを選択的に出力する混合部と、を含む。
【００１２】
好ましくは、混合部は、入力されるラインでジャダーを検出する少なくとも一つのジャダー検出部と、動きがないか、或いはフィルムモードであるものが判断されれば、インターフィールド補間部の出力値を出力し、ジャダー検出部でジャダーが検出されれば、イントラフィールド補間部の出力値を出力するスイッチング部と、を含むことができる。
【００１３】
また、ジャダー検出部は、入力されるラインのうち隣接した三つのラインでメジアン画素値を抽出するメジアンフィルター部と、抽出されたメジアン画素値と、三つのラインのうち中間ライン画素値の差の絶対値を算出する絶対値算出部と、算出された絶対値と所定の臨界値とを比較してジャダーを判別するジャダー判別部と、を含む。
【００１４】
また、ジャダーが検出される領域を水平および垂直方向に拡張し、拡張された検出領域でジャダー判別部の出力値が臨界値以上である場合にジャダーを出力する拡張部をさらに含む。
また、入力されるラインの画素値と臨界値により最終臨界値を算出してジャダー判別部に提供する臨界値算出部をさらに含む。
【００１５】
また、臨界値算出部は、入力されるラインのうち奇数番目ラインの画素値の平均を算出する第１の平均画素抽出部と、入力されるラインのうち偶数番目ラインの画素値の平均を算出する第２の平均画素抽出部と、算出された平均画素の差の絶対値を算出する絶対値抽出部と、算出された絶対値を最大臨界値および最小臨界値により制限する制限器と、を含む。
【００１６】
また、制限器は、絶対値を所定の比率に縮小し、縮小された絶対値を最小臨界値と比較してより大きい値を抽出し、抽出された値を最大臨界値と比較してより小さい値を抽出してジャダー判別部に提供する。
【００１７】
前述した目的を達成するための本発明の一実施形態によるジャダー検出を用いたデインターレーシング装置は、入力映像の現在フィールドでの動き程度を抽出し、入力映像のソースがフィルムモードであるかを判断する決定部と、現在フィールドで書入れられる画素周辺の画素値に含まれている方向値により周辺画素値を用いて第１の補間値を算出するイントラフィールド補間部と、現在フィールドで書入れられる画素に対応する以前フィールドおよび次フィールドの画素値を用いて第２の補間値を算出するインターフィールド補間部と、現在フィールドで抽出される所定の複数ラインとインターフィールド補間部で書入れられたフィールドから抽出される少なくとも一つの所定ラインが入力されてジャダーを検出し、ジャダーの検出可否によりインターフィールド補間部の出力値とイントラフィールド補間部の出力値とを選択的に出力する混合部と、を含む。
【００１８】
好ましくは、決定部は、入力映像の現在フィールドの画素を基準に以前フィールドおよび次フィールドの間の動き程度を抽出する動き検出部と、入力映像のソースがフィルムモードであるかを判断するフィルムモード判断部と、を含むことができる。
【００１９】
一方、本発明の一実施形態によるジャダー検出を用いたデインターレーシング方法は、入力映像の現在フィールドで書入れられる画素周辺の画素値に含まれている方向値により周辺画素値を用いて第１の補間値を算出するステップと、現在フィールドで書入れられる画素に対応する以前フィールドおよび次フィールドの画素値を用いて第２の補間値を算出するステップと、現在フィールドの画素を基準に以前フィールドおよび次フィールドの間の動き程度を抽出するステップと、入力映像のソースがフィルムモードであるかを判断するステップと、現在フィールドで抽出される所定の複数ラインと第２の補間値により書入れられたフィールドから抽出される所定の少なくとも一つのラインが入力されてジャダーを検出するステップと、動きがないか、或いはフィルムモードであることが判断されれば、第２の補間値により書入れられた出力値を出力し、ジャダーが検出される場合には第１の補間値により書入れられた出力値を出力するステップと、を含む。
【００２０】
好ましくは、ジャダー検出ステップは、入力されるラインのうち隣接した三つのラインでメジアン画素値を抽出するステップと、抽出されたメジアン画素値と、三つのラインのうち中間ライン画素値の差の絶対値を算出するステップと、算出された絶対値と所定の臨界値とを比較してジャダーを判別するステップと、を含むことができる。
【００２１】
また、ジャダー検出領域を水平および垂直方向に拡張し、拡張されたジャダー検出領域で検出されたジャダーが臨界値以上である場合にジャダーを出力するステップをさらに含む。
さらに、臨界値は、入力されるラインの画素値と最大臨界値および最小臨界値により算出された値を適用する。
【００２２】
また、臨界値算出は、入力されるラインのうち偶数番目ラインの画素値の平均を算出するステップと、入力されるラインのうち奇数番目ラインの画素値の平均を算出するステップと、算出された平均画素の差の絶対値を算出するステップと、算出された絶対値を最大臨界値および最小臨界値により制限するステップと、を含む。
【００２３】
さらに、絶対値の制限ステップは、絶対値を所定の比率に縮小するステップと、縮小された絶対値を最小臨界値と比較してより大きい値を抽出するステップと、抽出された値を最大臨界値と比較してより小さい値を抽出するステップと、を含む。
【００２４】
一方、本発明の一実施形態によるジャダー検出を用いたデインターレーシング方法は、以前フィールド、現在フィールド、次フィールドを有する入力映像を受信するステップと、入力映像の動き特性を決定するステップと、入力映像の現在フィールドで書入れられる画素周辺の画素値に含まれている方向値により周辺画素値を用いて第１の補間値を算出するステップと、現在フィールドで書入れられる画素に対応する以前フィールドおよび次フィールドの画素値を用いて第２の補間値を算出するステップと、決定された動き特性により第１の補間値および第２の補間値を選択的に出力するステップと、を含む。
【００２５】
好ましくは、動き特性は、入力映像の以前フィールドと次フィールドとの動きなのか、或いは入力映像のソースがフィルムモードでありうる。
【発明の効果】
【００２６】
本発明に係るジャダー検出を用いたデインターレーシング装置および方法は、現在フィールドおよびインターフィールド補間部から入力される複数のラインでジャダーを検出するジャダー検出部を備えることによって、飛び越し走査フィールド映像を順次走査フレーム映像に変換するデインターレーシング装置でフィルム情報を用いたインターフィールド補間技法を使用したり、或いは動き領域でインターフィールド補間技法を使用することによって、動き領域付近で発生するジャダーを効率的に検出および除去することができる。
【発明を実施するための最良の形態】
【００２７】
以下、添付した図面に基づいて、本発明についてより詳細に説明する。
図１は、本発明で使用されるジャダー検出部の一実施形態についてのブロック図であり、図２は図１のジャダー検出部に入力されるラインを説明するための図面である。
【００２８】
本発明のジャダー検出を用いたデインターレーシング装置で使用されるジャダー検出部１００は、メジアンフィルター部１１０と、絶対値算出部１２０およびジャダー判別部１３０と、を備える。
【００２９】
メジアンフィルター部１１０は、現在フィールドで抽出された所定の複数ラインと後述されるインターフィールド補間部で書入れられた（補間された）フィールドから抽出された所定の少なくとも一つのラインでメジアン画素値を抽出する。
【００３０】
図２に示したように、メジアンフィルター部１１０に三つのラインが入力される。同図で、ｆｎ−１はｎ−１番目フィールド、ｆｎはｎ番目フィールド、ｆｎ＋１はｎ＋１番目フィールドを言い、現在書入れるフィールドを現在フィールドと言えば、ｆｎは現在フィールド、ｆｎ＋１は以前フィールド、ｆｎ−１は次フィールドになる。
【００３１】
ここで、メジアンフィルター部１１０に入力される三つのラインは、それぞれ現在フィールドのｉ番目ライン（ｆｎ（ｉ））、現在フィールドのｉ＋１番目ライン（ｆｎ（ｉ＋１））、ｆｎ（ｉ）とｆｎ（ｉ＋１）との間に挟まれるライン（ｆｔ（ｊ））である。この際、ｆｔは（ｆｎ＋１＋ｆｎ−１）／２、ｆｎ＋１およびｆｎ−１のうち一つである。
【００３２】
絶対値算出部１２０は、メジアンフィルター部１１０で抽出されたメジアン画素値と、メジアンフィルター部１１０に入力される三つのラインのうち中間ライン画素値の間の差の絶対値を算出する。
【００３３】
ジャダー判別部１３０は、絶対値算出部１２０から算出された絶対値と、所定の臨界値Ｔｈを比較してジャダーを判別して出力する。この際、臨界値は使用者により任意に設定される値であり、絶対値算出部１２０から算出された絶対値が臨界値より大きい場合にジャダーで判別される。
【００３４】
図３は、本発明で使用されるジャダー検出部の他の実施形態についてのブロック図である。
本実施形態では、ジャダー検出部１００をデインターレーシング装置に実際に適用するために、ジャダー検出部１００の出力部分に拡張部１４０がさらに備えられた構成を示す。
【００３５】
図１と同様に、三つのラインがメジアンフィルター部１１０に入力されてメジアン画素値が抽出され、絶対値算出部１２０から二つ画素値の差の絶対値が算出され、ジャダー判別部１３０でジャダーが判別される。
【００３６】
拡張部１４０は、ジャダーが検出される領域を水平および垂直方向に拡張し、そして、拡張された検出領域に存在するピクセル（ジャダー判別部１００の出力値）が所定の個数（臨界値）以上のジャダーであると判断されれば、最終にジャダーを出力する。
【００３７】
図４は、本発明で使用されるジャダー検出部のさらに他の実施形態についてのブロック図である。
同図は、ジャダー検出部１００に入力されるラインが四つ以上である場合を示し、本実施形態では入力ラインが四つの場合を例に挙げ、この場合には二つのジャダー検出部１００，１００ａが備えられる。
【００３８】
メジアンフィルター部１１０，１１０ａに入力されるラインは、ｆｎ（ｉ）、ｆｎ（ｉ＋１）、ｆｔ（ｊ）およびｆｔのｊ＋１番目ライン（ｆｔ（ｊ＋１））のうちから抽出される。本実施形態では、メジアンフィルター部１１０には、ｆｎ（ｉ）、ｆｔ（ｊ）およびｆｎ（ｉ＋１）が入力され、メジアンフィルター部１１０ａには、ｆｔ（ｊ）、ｆｎ（ｉ＋１）およびｆｔ（ｊ＋１）が入力されることを例に挙げたが、これはここに限定されることではなく、選択的な配列が可能である。
【００３９】
ジャダー検出部１００，１００ａのメジアンフィルター部１１０，１１０ａ、絶対値算出部１２０，１２０ａおよびジャダー判別部１３０，１３０ａの機能は前述したものと同一なので、これらの説明は省略する。
【００４０】
示されたように、入力ラインが四つ以上である場合には、入力される複数のラインの画素値と所定の臨界値によりジャダー判別部１３０，１３０ａでの比較対象になる最終臨界値を抽出する臨界値算出部２００をさらに備える。
【００４１】
臨界値算出部２００は、第１の平均画素抽出部２１０ａと、第２の平均画素抽出部２１０ｂと、絶対値抽出部２２０および制限器２３０と、から構成される。
第１の平均画素抽出部２１０ａは、入力される複数のラインのうち奇数番目ライン（ｆｎ（ｉ），ｆｎ（ｉ＋１））の画素値の平均を算出する。
【００４２】
第２の平均画素抽出部２１０ｂは、入力される複数のラインのうち偶数番目ライン（ｆｔ（ｊ），ｆｔ（ｊ＋１））の画素値の平均を算出する。
絶対値抽出部２２０は、第１の平均画素抽出部２１０ａと第２の平均画素抽出部２１０ｂでそれぞれ抽出された平均画素の差の絶対値を算出する。
【００４３】
制限器２３０は、絶対値抽出部２２０で算出された絶対値を最大臨界値（Ｔｈｍａｘ）および最小臨界値（Ｔｈｍｉｎ）により制限する。この際、最大臨界値および最小臨界値は、使用者により任意に設定される値である。
【００４４】
本実施形態で、制限器２３０は、絶対値抽出部２２０で算出された絶対値を所定の比率に縮小し、縮小された絶対値を最小臨界値（Ｔｈｍｉｎ）と比較してより大きい値を抽出し、抽出された値を最大臨界値（Ｔｈｍａｘ）と比較してより小さい値を抽出することによって、抽出された値を最終臨界値に出力する。
【００４５】
臨界値算出部２００により算出された最終臨界値は、ジャダー判別部１３０，１３０ａに伝達されてジャダーを判別するのに用いられる。
図４に示されたように、四つ以上のラインを使用してジャダーを検出する場合には、三つのラインを使用してジャダーを検出する場合よりジャダーを誤り検出する確率が減少される利点がある。
【００４６】
示さないが、図４でのようにジャダー検出部１００が二つ以上備えられた場合にも図３に示された拡張部１４０をさらに備えて、ジャダーが検出される領域を水平および垂直方向に拡張することができる。
【００４７】
図５は、本発明に係るジャダー検出を用いたデインターレーシング装置の一実施形態のブロック図である。
本発明の一実施形態によるジャダー検出を用いたデインターレーシング装置は、動き検出部３００と、イントラフィールド補間部４００と、インターフィールド補間部５００と、フィルムモード判断部６００と、ジャダー検出部１００および混合部７００とを含む。
【００４８】
動き検出部３００は、入力映像の現在フィールド（ｆｎ）の画素を基準に時間的に連続的なフィールド（以前フィールド（ｆｎ＋１）および次フィールド（ｆｎ−１））の間の動き情報値を算出する。
【００４９】
イントラフィールド（ｉｎｔｒａ−ｆｉｅｌｄ）補間部２００は、現在フィールドで書入れられる画素周辺の画素値を入力にして傾斜相関(gradient correlation)を用いてその方向による第１の補間値（ｆｓ）を出力する。
【００５０】
インターフィールド（ｉｎｔｅｒ−ｆｉｅｌｄ）補間部３００は、現在書入れる画素と対応する位置にある以前フィールドおよび次フィールドの画素値を平均した第２の補間値（ｆｔ）を出力する。
【００５１】
フィルムモード判断部６００は、現在フィールド、以前フィールドおよび次フィールドの画素値が入力され、フィルムモード（Ｆｉｌｍ  ｆｌａｇ）であるかを判断して後述される混合部７００に提供する。
【００５２】
ジャダー検出部１００は、図１、図３および図４で説明したようにメジアンフィルター部１１０、絶対値算出部およびジャダー判別部１３０により現在フィールドおよびインターフィールド補間部から入力される複数のラインでジャダーを検出する。
【００５３】
混合部７００は、動き検出部３００とフィルムモード判断部６００の出力値を用いて、イントラフィールド補間部４００およびインターフィールド補間部５００からの第１および第２の補間値を混合して最終出力値（Ｆｎ）を出力する。
【００５４】
一般に、混合部７００は、動き検出部３００で動きがないことと判断されるか、或いはフィルムモード判断部６００でフィルムモードであることと判断されれば、インターフィールド補間部５００の第２の補間値を最終出力として使用する。この際、本発明での混合部７００は、ジャダー検出部１００でジャダーが検出されれば、イントラフィールド補間部４００の第１の補間値を最終出力として使用する。
【００５５】
本実施形態では、ジャダー検出部１００がインターレーシング装置の混合部７００の外部に位置することによって、デインターレーシング装置の出力フレームでジャダーが検出される場合、ジャダーを誘発したフィルムモード判断部６００でフィルムモードを制限する。
【００５６】
図６は、本発明に係るジャダー検出を用いたデインターレーシング装置の他の実施形態のブロック図である。
本発明の他の実施形態によるジャダー検出を用いたデインターレーシング装置は、図５の一実施形態でと同様に、動き検出部３００と、イントラフィールド補間部４００と、インターフィールド補間部５００と、フィルムモード判断部６００と、を含むが、ジャダー検出部１００が混合部７００に含まれ、混合部７００には、スイッチング部７１０がさらに備えられる。
【００５７】
ここでは、図５と同一な構成についての説明は省略し、差異がある構成についてのみ説明する。
混合部７００は、ジャダー検出部１００と、スイッチング部７１０と、を備える。
ジャダー検出部１００は、ジャダーを検出してスイッチング部７１０に提供する。
【００５８】
スイッチング部７１０は、動き検出部３００で動きがないことと判断されるか、或いはフィルムモード判断部６００でフィルムモードであることと判断されれば、インターフィールド補間部５００の第２の補間値を最終出力値に出力する。この際、スイッチング部７１０は、ジャダー検出部１００でジャダーが検出されれば、イントラフィールド補間部４００の第１の補間値を最終出力値に出力する。
【００５９】
図７は、本発明に係るジャダー検出を用いたデインターレーシング方法を説明するためのフローチャートである。
ここでは、図１〜図７を参照して本発明に係るジャダー検出を用いたデインターレーシング方法を説明する。
【００６０】
イントラフィールド補間部４００で現在書入れるフィールド内の周辺画素値を入力に画素周辺の傾斜相関を用いてその方向による第１の補間値を算出して出力する（Ｓ８００）。
インターフィールド補間部５００では、現在書入れる画素と同一な位置にある前後フィールドで画素値を平均して算出された第２の補間値を出力する（Ｓ８１０）。
【００６１】
動き検出部３００では、現在フィールドで書入れられる画素を基準に時間的に連続的なフィールド（以前フィールド（ｆｎ＋１）および次フィールド（ｆｎ−１））の間の動き程度を抽出する（Ｓ８２０）。
【００６２】
動き検出部３００で検出された動き程度により、以前フィールドおよび次フィールドの間の動きがないことが判断されれば、フィルムモード判断部６００でフィルムモードの有無を判断する（Ｓ８３０〜Ｓ８４０）。もし動き検出部３００で動きがあることが判断されれば、混合部７００によりインターフィールド補間部５００で算出された第２の補間値が出力される（Ｓ８３０，Ｓ８９４）。
【００６３】
ステップＳ８４０で、フィルムモードであるかを判断してフィルムモードであることが判断されれば、メジアンフィルター部１１０は、隣接した三つのラインのメジアン画素値を抽出し（Ｓ８５０〜Ｓ８６０）、絶対値算出部１２０でメジアンフィルター部５１０の出力値と入力される三つのラインのうち中間ラインの画素値の間の差の絶対値を算出し（Ｓ８７０）、ジャダー判別部１３０で絶対値と臨界値とを比較してジャダーを判別する（Ｓ８８０）。
【００６４】
ジャダー判別部１３０でジャダーが発生したことと判断されれば、ジャダー検出部１００でジャダーが出力され、混合部７００によりイントラフィールド補間部４００で算出された第１の補間値が出力される（Ｓ８９０，Ｓ８９２）。
【００６５】
ステップＳ８９０で、ジャダー判別部１３０でジャダーが発生しないことと判断されれば、混合部７００は、インターフィールド補間部５００の出力値を出力する（Ｓ８９０，Ｓ８９４）。
【００６６】
図８は、本発明に適用される臨界値の算出方法を説明するためのフローチャートである。
ここでは、図４および図８に基づいて図７のステップＳ８８０でジャダー判別とき適用される臨界値を抽出するための方法を説明する。
【００６７】
第１の平均画素抽出部２１０ａは、ジャダー検出部１００に入力される複数のラインのうちから偶数番目ラインの画素値平均を算出し（Ｓ９００）、第２の平均画素抽出部２１０ｂは、ジャダー検出部１００に入力される複数のラインのうちから奇数番目ラインの画素値平均を算出する（Ｓ９１０）。
【００６８】
絶対値抽出部２２０は、第１の平均画素抽出部２１０ａおよび第２の平均画素抽出部２１０ｂから算出されたそれぞれの画素値の平均の差の絶対値を算出する（Ｓ９２０）。
制限器２３０は、絶対値抽出部２２０から算出された絶対値を所定の比率に縮小し（Ｓ９３０）、縮小された絶対値と最小臨界値の大きさを比較する（Ｓ９４０）。
【００６９】
ステップＳ９４０で絶対値が最小臨界値より大きいことと判断されれば、絶対値と最大臨界値が大きさを比較し（Ｓ９５０）、絶対値が最大臨界値より小さいことと判断されれば、最終臨界値に絶対値を適用するため、絶対値をジャダー判別部１３０，１３０ａに提供する（Ｓ９６０）。
【００７０】
もしステップＳ９４０で、絶対値が最小臨界値より小さいことと判断されれば、最終臨界値に最小臨界値を適用するため、最小臨界値をジャダー判別部１３０，１３０ａに提供する（Ｓ９７０）。
【００７１】
以上、本発明を本発明の原理を例示するための好適な実施形態と関連して示して説明したが、本発明はそのように示されて説明された通りの構成および作用に限定されない。すなわち、当業者であれば、特許請求の範囲の思想および要旨を逸脱することなく、本発明についての多数の変更および修正が可能であるということをよく理解することができる。従って、そうした全ての適切な変更および修正と均等物も本発明の範囲に属すると見なすべきである。
【産業上の利用可能性】
【００７２】
ジャダーを効率的に検出するためのデインターレーシング装置に適用されうる。
【図面の簡単な説明】
【００７３】
【図１】本発明で使用されるジャダー検出部の一実施形態についてのブロック図である。
【図２】図１のジャダー検出部に入力されるラインを説明するための図面である。
【図３】本発明で使用されるジャダー検出部の他の実施形態についてのブロック図である。
【図４】本発明で使用されるジャダー検出部のさらに他の実施形態についてのブロック図である。
【図５】本発明に係るジャダー検出を用いたデインターレーシング装置の一実施形態のブロック図である。
【図６】本発明に係るジャダー検出を用いたデインターレーシング装置の他の実施形態のブロック図である。
【図７】本発明に係るジャダー検出のためのデインターレーシング方法を説明するためのフローチャートである。
【図８】本発明に適用される臨界値の算出方法を説明するためのフローチャートである。
【符号の説明】
【００７４】
１００  ジャダー検出部
１１０  メジアンフィルター部
１２０  絶対値算出部
１３０  ジャダー判別部
【図１】
2006005914.tif 000003
【図２】
2006005914.tif 000004
【図３】
2006005914.tif 000005
【図４】
2006005914.tif 000006
【図５】
2006005914.tif 000007
【図６】
2006005914.tif 000008
【図７】
2006005914.tif 000009
【図８】
2006005914.tif 000010